(57)【要約】【課題】    本発明の目的は、使い勝手の良好な分岐管を提供するものである。【解決手段】    分岐管Ｓは、流入部１０からの流体を第１の流出部１と第２の流出部２に分岐する分岐管Ｓであって、第１の流出部１の出口側の管１Ａの軸心Ｘが、流入部１０の管１０Ａの軸心Ｘに一致するように、第１の流出部１の中途が曲がっているものである。【選択図】図１
2018197604.tif 000002
【特許請求の範囲】
【請求項１】
流入部からの流体を第１の流出部と第２の流出部に分岐する分岐管であって、
前記第１の流出部の出口側の管の軸心が、前記流入部の管の軸心に一致するように、前記第１の流出部の中途が曲がっている
ことを特徴とする分岐管。
【請求項２】
流入部からの冷媒を第１の流出部と第２の流出部に分岐する分岐管であって、
前記第１の流出部に接続される第１の接続配管とを備え、
前記第１の接続配管の出口側の管の軸心が、前記流入部の管の軸心に一致するように、前記第１の接続配管の中途が曲がっている
ことを特徴とする分岐管。
【請求項３】
流入部の内壁及び前記流入部の外壁と第１の流出部の内壁及び前記第１の流出部の外壁と第２の流出部の内壁及び前記第２の流出部の外壁とは、同一材質で連続して接続された分岐管であって、
前記第１の流出部の内壁と前記第２の流出部の内壁とがＲ形状で接続されている
ことを特徴とする請求項１又は請求項２記載の分岐管。
【請求項４】
第２の流出部に接続される第２の接続配管を備え、
流入部の管の軸心の延長線と前記第２の流出部の出口側の管の軸心とがなす角度が４５度であり、
前記第２の接続配管の中途は屈曲し、屈曲した前記第２の接続配管は、一方の第２の接続配管と他方の第２の接続配管であり、前記第２の流出部に近い側が前記一方の第２の接続配管であり、前記第２の流出部に遠い側が前記他方の第２の接続配管であり、
前記一方の第２の接続配管の長手方向の軸心の延長線と前記他方の第２の接続配管の長手方向の軸心とがなす角度が４５度である
ことを特徴とする請求項１又は請求項２記載の分岐管。
【請求項５】
据え付け工事前に、第１の流出部に直線状の第２の接続配管を接続し、第２の流出部に第３の接続配管を接続しないものであり、
前記直線状の第２の接続配管の軸心が、流入部の管の軸心に一致するものである
ことを特徴とする請求項１記載の分岐管。
【請求項６】
据え付け工事前に、第１の接続配管に直線状の第４の接続配管を接続し、第２の流出部に第３の接続配管を接続しないものであり、
前記直線状の第４の接続配管の軸心が、流入部の管の軸心に一致するものである
ことを特徴とする請求項２記載の分岐管。
【発明の詳細な説明】
【技術分野】
【０００１】
本発明は、分岐管に係り、特に、使い勝手の良好な分岐管に関する。
【背景技術】
【０００２】
従来、マルチエアコンにあっては、冷媒を分岐するために、図１０に示す分岐管Ｓ’が使用される。
図１１記載のものは、例えば、マルチエアコンの室内ユニットを各階に設置されるもので、４つの分岐管Ｓ’が直列に接続される。
【発明の概要】
【発明が解決しようとする課題】
【０００３】
そのため、上記分岐管Ｓ’を使用した場合、軸心ずれＯ’Ｏ”が（Ｌ／２）×３  生じてしまう。
この軸心ずれＯ’Ｏ”は、各階の床、天井へ配管を通す際の位置がそれぞれ異なることを意味し、施工しにくく、上記分岐管は、使用勝手が良好でないという問題点が生じた。
【０００４】
本発明は、前記問題点を考慮してなされた分岐管Ｓ’を提供することを目的とする。
【課題を解決するための手段】
【０００５】
請求項１記載の分岐管は、流入部からの流体を第１の流出部と第２の流出部に分岐する分岐管であって、前記第１の流出部の出口側の管の軸心が、前記流入部の管の軸心に一致するように、前記第１の流出部の中途が曲がっているものである。
【０００６】
また、請求項２記載の分岐管は、流入部からの冷媒を第１の流出部と第２の流出部に分岐する分岐管であって、前記第１の流出部に接続される第１の接続配管とを備え、前記第１の接続配管の出口側の管の軸心が、前記流入部の管の軸心に一致するように、前記第１の接続配管の中途が曲がっているものである。
【０００７】
また、請求項３記載の分岐管は、請求項１又は請求項２記載の分岐管において、流入部の内壁及び前記流入部の外壁と第１の流出部の内壁及び前記第１の流出部の外壁と第２の流出部の内壁及び前記第２の流出部の外壁とは、同一材質で連続して接続された分岐管であって、前記第１の流出部の内壁と前記第２の流出部の内壁とがＲ形状で接続されているものである。
【０００８】
また、請求項４記載の分岐管は、請求項１又は請求項２記載の分岐管において、第２の流出部に接続される第２の接続配管を備え、流入部の管の軸心の延長線と前記第２の流出部の出口側の管の軸心とがなす角度が４５度であり、前記第２の接続配管の中途は屈曲し、屈曲した前記第２の接続配管は、一方の第２の接続配管と他方の第２の接続配管であり、前記第２の流出部に近い側が前記一方の第２の接続配管であり、前記第２の流出部に遠い側が前記他方の第２の接続配管であり、前記一方の第２の接続配管の長手方向の軸心の延長線と前記他方の第２の接続配管の長手方向の軸心とがなす角度が４５度である。
【０００９】
また、請求項６記載の分岐管は、据え付け工事前に、第１の接続配管に直線状の第４の接続配管を接続し、第２の流出部に第３の接続配管を接続しないものであり、前記直線状の第４の接続配管の軸心が、流入部の管の軸心に一致するものである。
【発明の効果】
【００１０】
請求項１記載の分岐管によれば、第１の流出部の出口側の管の軸心が、流入部の管の軸心に一致するように、前記第１の流出部の中途が曲がっている、つまり、流入部の管と第１の流出部の出口側の管を同一軸心に位置させることができるため、請求項１記載の分岐管を、例えば、多層階のビルの部屋、横に並設する部屋にマルチエアコンを設置した場合、配管の位置（天井の配管穴の位置、壁の配管穴の位置）が直線状となり、マルチエアコンの設置作業を容易にすることができる使い勝手の良好な分岐管を得ることができる。
【００１１】
また、請求項２記載の分岐管によれば、第１の接続配管の出口側の管の長手方向の中心が、流入部の管の長手方向の中心に一致するように、前記第１の接続配管の中途が曲がっている、つまり、流入部の管と第１の接続配管の出口側の管を同一軸心に位置させることができるため、請求項２記載の分岐管を多層階のビルの部屋、横に並設する部屋にマルチエアコンを設置した場合、配管の位置（天井の配管穴の位置、壁の配管穴の位置）が直線状となり、マルチエアコンの設置作業を容易にすることができる使い勝手の良好な分岐管を得ることができる。
【００１２】
また、請求項３記載の分岐管によれば、上述した請求項１又は請求項２記載の発明の効果に加え、流入部の内壁及び前記流入部の外壁と第１の流出部の内壁及び前記第１の流出部の外壁と第２の流出部の内壁及び前記第２の流出部の外壁とは、同一材質で連続して接続された分岐管にあって、前記第１の流出部の内壁と前記第２の流出部の内壁とがＲ形状で接続されているため、圧力損失の少ない使い勝手の良好な分岐管を得ることができる。
【００１３】
また、請求項４記載の分岐管によれば、上述した請求項１又は請求項２記載の発明の効果に加え、第２の流出部に接続される第２の接続配管を備え、流入部の管の軸心の延長線と前記第２の流出部の出口側の管の軸心とがなす角度が４５度であり、前記第２の接続配管の中途は屈曲し、屈曲した前記第２の接続配管は、一方の第２の接続配管と他方の第２の接続配管であり、前記第２の流出部に近い側が前記一方の第２の接続配管であり、前記第２の流出部に遠い側が前記他方の第２の接続配管であり、前記一方の第２の接続配管の長手方向の軸心の延長線と前記他方の第２の接続配管の長手方向の軸心とがなす角度が４５度であるため、第２の接続配管を取り出しに使用しないときは、第２の接続配管を回動して、第２の接続配管の出口側の管（他方の第２の接続配管）の軸心と流入部の管の軸心とがなす角度を平行にし、第２の接続配管を取り出しに使用するときは、第２の接続配管を回動して、第２の接続配管の出口側の管（他方の第２の接続配管）の軸心と流入部の管の軸心とがなす角度を９０度にして対応することができる使い勝手の良好な分岐管を得ることができる。
【００１４】
また、請求項５記載の分岐管によれば、上述した請求項１記載の発明の効果に加え、据え付け工事前に、第１の流出部に直線状の第２の接続配管を接続し、第２の流出部に第３の接続配管を接続しないものであり、前記直線状の第２の接続配管の軸心が、流入部の管の軸心に一致するものであるため、第２の流出部に第３の接続配管を取り出し有無にかかわらず、第１の流出部に接続した直線状の第２の接続配管の位置は定まるため、据え付け工事時に第１の流出部に直線状の第２の接続配管を接続する時間を短縮でき、使い勝手の良好な分岐管を得ることができる。
【００１５】
また、請求項６記載の分岐管によれば、上述した請求項２記載の発明の効果に加え、  据え付け工事前に、第１の接続配管に直線状の第４の接続配管を接続し、第２の流出部に第３の接続配管を接続しないものであり、前記直線状の第４の接続配管の軸心が、流入部の管の軸心に一致するものであるため、第２の流出部に第３の接続配管を取り出し有無にかかわらず、第１の接続配管に接続した直線状の第４の接続配管の位置は定まるため、据え付け工事時に第１の接続配管に直線状の第４の接続配管を接続する時間を短縮でき、使い勝手の良好な分岐管を得ることができる。
【図面の簡単な説明】
【００１６】
【図１】図１は、本発明の一実施例の分岐管を示す概略的図である。
【図２】図２は、図１の分岐管の一使用形態の概略的図である。
【図３】図３は、図１の分岐管と異なる他の形態の概略的図である。
【図４】図４は、図２の分岐管の使用形態と異なる他の形態の概略的図で、工事前の状態である。
【図５】図５は、図４の工事後の状態の概略的図である。
【図６】図６は、図３の分岐管の使用形態の概略的図で、工事前の状態である。
【図７】図７は、図６の工事後の状態の概略的図である。
【図８】図８は、分岐管を被覆断熱材で覆った状態の概略的図である。
【図９】図９は、図８の露出部を被覆断熱材で覆う前の状態の概略的図である。
【図１０】図１０は、従来の分岐管の概略的図である。
【図１１】図１１は、図１０の分岐管の一使用形態の概略的図である。
【発明を実施するための形態】
【００１７】
本発明の一実施例の分岐管を図面（図１及び図２）を参照して説明する。
図１は本発明の分岐管Ｓを示す概略的図で、分岐管Ｓは、流入部１０からの流体を第１の流出部１と第２の流出部２に分岐する分岐管で、例えば、マルチエアコンの冷凍サイクルに組み込まれ、冷媒を分流する際に使用されるものである。
第１の流出部１の出口側の管１Ａの軸心Ｘが、流入部１０の管１０Ａの軸心Ｘと一致するように、第１の流出部１の中途が曲がっている。図１に示す１Ｂは、湾曲部である。
【００１８】
このように、流入部１０の管１０Ａと第１の流出部１の出口側の管１Ａを同一軸心Ｘに位置させることができるため、分岐管Ｓを、例えば、多層階のビルの部屋、横に並設する部屋にマルチエアコンを設置した場合、配管の位置（天井の配管穴の位置、壁の配管穴の位置）が図２に示すように、直線状となり、マルチエアコンの設置作業を容易にすることができる使い勝手の良好な分岐管Ｓを得ることができる。
なお、図２においては、説明を分かり易くするために、分岐管Ｓを逐次並設しているが、隣接する分岐管Ｓと分岐管Ｓとの間には、直線状の配管が適宜位置するようになっている。
【００１９】
図１に示す分岐管Ｓは、図示しないが、金型にセットした銅パイプに超高圧の液体を充填しながら銅パイプの両端を軸方向に圧縮し、金型に彫り込まれた形状に加工する所謂バルジ加工により成形することができる。
なお、流流入部１０の管１０Ａの軸心Ｘの延長線と第２の流出部２の出口側の管２Ａの軸心２Ｘとによってなす角度Ａが鋭角であり、例えば、４５度であり、流入部１０の管１０Ａの軸心Ｘの延長線と第１の流出部１の入口側の管の軸心１Ｘとによって角度Ａ’が鋭角であり、例えば、４５度である。なお、本実施例においては、Ａ＝Ａ’となっているが、必ずしも、Ａ＝Ａ’である必要はない。  
【００２０】
なお、図１記載の分岐管Ｓを一体的に形成したが、本願発明にあっては、これに限らず、例えば、図３に示すように、分岐管Ｓの第１の流出部１を２部材で形成するようにしても良い。
即ち、図１記載の第１の流出部１の長さより短い第１の流出部１’に第１の接続配管３を接続する。第１の接続配管３の出口側の管３Ａの軸心Ｘが、流入部１０の管１０Ａの軸心Ｘと一致するように、第１の接続配管３の中途が曲がっている。図３に示す３Ｂは、湾曲部である。
【００２１】
図３記載の分岐管Ｓも、図１記載の分岐管Ｓと同様、流入部１０の管１０Ａと第１の接続配管３の出口側の管３Ａを同一軸心Ｘに位置させることができるため、分岐管Ｓを、例えば、多層階のビルの部屋、横に並設する部屋にマルチエアコンを設置した場合、配管の位置（天井の配管穴の位置、壁の配管穴の位置）が図２に示すように、直線状となり、マルチエアコンの設置作業を容易にすることができる使い勝手の良好な分岐管Ｓを得ることができる。
【００２２】
また、図１及び図３記載の分岐管Ｓにおいては、流入部１０の内壁及び流入部１０の外壁と第１の流出部１の内壁及び第１の流出部１の外壁と第２の流出部２の内壁及び第２の流出部２の外壁とは、同一材質（例えば、銅）で連続して接続された分岐管Ｓであって、第１の流出部１の内壁と第２の流出部２の内壁とがＲ形状で接続されている。なお、図１及び図３記載の分岐管Ｓにおいては、第１の流出部１の内壁と第２の流出部２の内壁は、図示していないが、第１の流出部１の内壁と第２の流出部２の内壁とを接続するＲ形状の部位は、第１の流出部１の外壁と第２の流出部２の外壁のＲ形状の部位Ｒ（図１及び図３）に沿う形状である。
【００２３】
なお、図２に示すように、第２の接続配管４を取り出しに使用しないとき（図２のＮ参照）は、第２の接続配管４を回動して、第２の接続配管４の出口側の管の軸心４Ｘ（屈曲した一方の第２の接続配管４の長手方向の軸心４Ｘ）と流入部１０の管の軸心Ｘとがなす角度を平行にし、第２の接続配管４を取り出しに使用する（図２のＭ参照）ときは、第２の接続配管４を回動して、第２の接続配管４の出口側の管の軸心４Ｘ（屈曲した他方の第２の接続配管４の長手方向の軸心４Ｙ）と流入部１０の管の軸心Ｘとがなす角度を９０度にして対応することができる使い勝手の良好な分岐管Ｓを得ることができるようになっている。
そのためには、流入部１０の管１０Ａの軸心Ｘの延長線と第２の流出部２の出口側の管２Ａの軸心２Ｘとがなす角度が４５度（図２のＭ参照）、第２の流出部２に接続される第２の接続配管４の中途は屈曲し、屈曲した第２の接続配管４は、一方の第２の接続配管４１と他方の第２の接続配管４２であり、第２の流出部４に近い側が一方の第２の接続配管４１であり、第２の流出部４に遠い側が他方の第２の接続配管４２であり、一方の第２の接続配管４１の長手方向の軸心の延長線と他方の第２の接続配管４２の長手方向の軸心とがなす角度が４５度（図２のＮ参照）となっている。
【００２４】
なお、図４に示すように、据え付け工事前に、第１の流出部１に直線状の第３の接続配管５を接続し、第２の流出部２に第２’の接続配管４’を接続しないようにし、直線状の第３の接続配管５の軸心Ｘが、流入部１０の管１０Ａの軸心Ｘに一致するようにする。
これは、直線状の第３の接続配管５の軸心Ｘが、流入部１０の管１０Ａの軸心Ｘに一致するため、図４に示すように、第２の流出部２に第２’の接続配管４’を取り出し有無にかかわらず、第１の流出部１に接続した直線状の第３の接続配管５の位置は定まるため、据え付け工事時に第１の流出部１に直線状の第３の接続配管５を接続する時間を短縮でき、使い勝手の良好な分岐管Ｓを得ることができる。
【００２５】
なお、第２の流出部２に第２’の接続配管４’を取り出しが必要でない場合、図５に示すように、据え付け工事時に第２の流出部２に第２’の接続配管４’を接続するようにする。
これは、図３記載の分岐管Ｓと同様に、適用することができる。
即ち、図６に示すように、据え付け工事前に、第１の接続配管３に直線状の第４の接続配管５’を接続し、第２の流出部２に第２’の接続配管４’を接続しないようにし、直線状の第４の接続配管５’の軸心Ｘが、流入部１０の管１０Ａの軸心Ｘに一致するようにする。
これは、直線状の第４の接続配管５’の軸心Ｘが、流入部１０の管１０Ａの軸心Ｘに一致するため、図６に示すように、第２の流出部２に第２’の接続配管４’を取り出し有無にかかわらず、第１の接続配管３に接続した直線状の第４の接続配管５’の位置は定まるため、据え付け工事時に第１の接続配管３に直線状の第４の接続配管５’を接続する時間を短縮でき、使い勝手の良好な分岐管Ｓを得ることができる。
なお、第２の流出部２に第２’の接続配管４’を取り出しが必要でない場合、図７に示すように、据え付け工事時に第２の流出部２に第２’の接続配管４’を接続するようにする。
【００２６】
また、図８に示す１１は、流入部１０を被覆する流入部被覆断熱材で、１２は、第１の流出部１を被覆する第１の流出部被覆断熱材で、１３は、第２の流出部２を被覆する第２の流出部被覆断熱材である。これら流入部被覆断熱材１１、流出部被覆断熱材１２、第２の流出部被覆断熱材１３で分岐管Ｓを覆うため、分岐管Ｓの熱ロスを防ぐことができる。
また、図９に示す１４は、 流入部被覆断熱材１１、第１の流出部被覆断熱材１２、第２の流出部被覆断熱材１３で被覆されない分岐部Ｓの部位を被覆する分岐部被覆断熱材で
、これら流入部被覆断熱材１１、流出部被覆断熱材１２、第２の流出部被覆断熱材１３、分岐部被覆断熱材１４で分岐管Ｓを覆うため、分岐管Ｓの熱ロスをより防ぐことができる。
【符号の説明】
【００２７】
Ｓ      分岐管
１      第１の流出部
２      第２の流出部
１Ａ    第１の流出部の出口側の管
１０Ａ  流入部の管
Ｘ      第１の流出部の出口側の管の軸心
Ｘ      流入部の管の軸心
【図１】
2018197604.tif 000003
【図２】
2018197604.tif 000004
【図３】
2018197604.tif 000005
【図４】
2018197604.tif 000006
【図５】
2018197604.tif 000007
【図６】
2018197604.tif 000008
【図７】
2018197604.tif 000009
【図８】
2018197604.tif 000010
【図９】
2018197604.tif 000011
【図１０】
2018197604.tif 000012
【図１１】
2018197604.tif 000013
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
流入部からの流体を第１の流出部と第２の流出部に分岐する分岐管であって、
前記流入部の入口と前記第１の流出部の出口は連通し、
前記流入部の入口と前記第２の流出部の出口は連通し、
前記第１の流出部の出口側の管の軸心が、前記流入部の管の軸心に一致するように、
前記第１の流出部の中途が曲がっている
ことを特徴とする分岐管。
【請求項２】
流入部からの流体を第１の流出部と第２の流出部に分岐する分岐管であって、
前記第１の流出部に接続される第１の接続配管とを備え、
前記流入部の入口と前記第１の接続配管の出口は連通し、
前記流入部の入口と前記第２の流出部の出口は連通し、
前記第１の接続配管の出口側の管の軸心が、前記流入部の管の軸心に一致するように
、前記第１の接続配管の中途が曲がっている
ことを特徴とする分岐管。
【請求項３】
流入部の内壁及び前記流入部の外壁と第１の流出部の内壁及び前記第１の流出部の外
壁と第２の流出部の内壁及び前記第２の流出部の外壁とは、同一材質で連続して接続され
た分岐管であって、
前記第１の流出部の内壁と前記第２の流出部の内壁とがＲ形状で接続されている
ことを特徴とする請求項１又は請求項２記載の分岐管。
【請求項４】
第２の流出部に接続される第２の接続配管を備え、
流入部の管の軸心の延長線と前記第２の流出部の出口側の管の軸心とがなす角度が４
５度であり、
前記第２の接続配管の中途は屈曲し、屈曲した前記第２の接続配管は、一方の第２の
接続配管と他方の第２の接続配管であり、前記第２の流出部に近い側が前記一方の第２の
接続配管であり、前記第２の流出部に遠い側が前記他方の第２の接続配管であり、
前記一方の第２の接続配管の長手方向の軸心の延長線と前記他方の第２の接続配管の
長手方向の軸心とがなす角度が４５度である
ことを特徴とする請求項１又は請求項２記載の分岐管。
【請求項５】
流入部からの流体を第１の流出部と第２の流出部に分岐するマルチエアコン用分岐管であって、
前記流入部の入口と前記第１の流出部の出口は連通し、
前記流入部の入口と前記第２の流出部の出口は連通し、
前記第１の流出部の出口側の管の軸心が、前記流入部の管の軸心に一致するように、
前記第１の流出部の中途が曲がっており、
据え付け工事前に、前記第１の流出部に直線状の第２の接続配管を接続し、前記第２の流出部に第３の接続配管を接続しないものであり、
前記直線状の前記第２の接続配管の軸心が、前記流入部の管の軸心に一致するものである
ことを特徴とするマルチエアコン用分岐管。
【請求項６】
流入部からの流体を第１の流出部と第２の流出部に分岐するマルチエアコン用分岐管であって、
前記第１の流出部に接続される第１の接続配管とを備え、
前記流入部の入口と前記第１の接続配管の出口は連通し、
前記流入部の入口と前記第２の流出部の出口は連通し、
前記第１の接続配管の出口側の管の軸心が、前記流入部の管の軸心に一致するように
、前記第１の接続配管の中途が曲がっており、
据え付け工事前に、前記第１の接続配管に直線状の第４の接続配管を接続し、前記第２の流出部に第３の接続配管を接続しないものであり、
前記直線状の前記第４の接続配管の軸心が、前記流入部の管の軸心に一致するものである
ことを特徴とするマルチエアコン用分岐管。
【手続補正３】
【補正対象書類名】明細書
【補正対象項目名】０００１
【補正方法】変更
【補正の内容】
【０００１】
本発明は、分岐管及びマルチエアコン用分岐管に係り、特に、使い勝手の良好な分岐管及びマルチエアコン用分岐管に関する。
【手続補正４】
【補正対象書類名】明細書
【補正対象項目名】０００４
【補正方法】変更
【補正の内容】
【０００４】
本発明は、前記問題点を考慮してなされた分岐管及びマルチエアコン用分岐管を提供することを目的とする。
【手続補正５】
【補正対象書類名】明細書
【補正対象項目名】０００５
【補正方法】変更
【補正の内容】
【０００５】
請求項１記載の分岐管は、流入部からの流体を第１の流出部と第２の流出部に分岐する分岐管であって、前記流入部の入口と前記第１の流出部の出口は連通し、前記流入部の入口と前記第２の流出部の出口は連通し、前記第１の流出部の出口側の管の軸心が、前記流入部の管の軸心に一致するように、前記第１の流出部の中途が曲がっているものである。
【手続補正６】
【補正対象書類名】明細書
【補正対象項目名】０００６
【補正方法】変更
【補正の内容】
【０００６】
また、請求項２記載の分岐管は、流入部からの流体を第１の流出部と第２の流出部に分岐する分岐管であって、前記第１の流出部に接続される第１の接続配管とを備え、前記流入部の入口と前記第１の接続配管の出口は連通し、前記流入部の入口と前記第２の流出部の出口は連通し、前記第１の接続配管の出口側の管の軸心が、前記流入部の管の軸心に一致するように、前記第１の接続配管の中途が曲がっているものである。
【手続補正７】
【補正対象書類名】明細書
【補正対象項目名】０００９
【補正方法】変更
【補正の内容】
【０００９】
また、請求項５記載のマルチエアコン用分岐管は、流入部からの流体を第１の流出部と第２の流出部に分岐するマルチエアコン用分岐管であって、前記流入部の入口と前記第１の流出部の出口は連通し、前記流入部の入口と前記第２の流出部の出口は連通し、前記第１の流出部の出口側の管の軸心が、前記流入部の管の軸心に一致するように、前記第１の流出部の中途が曲がっており、据え付け工事前に、前記第１の流出部に直線状の第２の接続配管を接続し、前記第２の流出部に第３の接続配管を接続しないものであり、前記直線状の前記第２の接続配管の軸心が、前記流入部の管の軸心に一致するものである。
また、請求項６記載のマルチエアコン用分岐管は、流入部からの流体を第１の流出部と第２の流出部に分岐するマルチエアコン用分岐管であって、前記第１の流出部に接続される第１の接続配管とを備え、前記流入部の入口と前記第１の接続配管の出口は連通し、前記流入部の入口と前記第２の流出部の出口は連通し、前記第１の接続配管の出口側の管の軸心が、前記流入部の管の軸心に一致するように、前記第１の接続配管の中途が曲がっており、据え付け工事前に、前記第１の接続配管に直線状の第４の接続配管を接続し、前記第２の流出部に第３の接続配管を接続しないものであり、前記直線状の前記第４の接続配管の軸心が、前記流入部の管の軸心に一致するものである。
【手続補正８】
【補正対象書類名】明細書
【補正対象項目名】００１４
【補正方法】変更
【補正の内容】
【００１４】
また、請求項５記載のマルチエアコン用分岐管によれば、据え付け工事前に、第１の流出部に直線状の第２の接続配管を接続し、第２の流出部に第３の接続配管を接続しないものであり、前記直線状の第２の接続配管の軸心が、流入部の管の軸心に一致するものであるため、第２の流出部に第３の接続配管を取り出し有無にかかわらず、第１の流出部に接続した直線状の第２の接続配管の位置は定まるため、据え付け工事時に第１の流出部に直線状の第２の接続配管を接続する時間を短縮でき、使い勝手の良好な分岐管を得ることができる。
【手続補正９】
【補正対象書類名】明細書
【補正対象項目名】００１５
【補正方法】変更
【補正の内容】
【００１５】
また、請求項６記載のマルチエアコン用分岐管によれば、据え付け工事前に、第１の接続配管に直線状の第４の接続配管を接続し、第２の流出部に第３の接続配管を接続しないものであり、前記直線状の第４の接続配管の軸心が、流入部の管の軸心に一致するものであるため、第２の流出部に第３の接続配管を取り出し有無にかかわらず、第１の接続配管に接続した直線状の第４の接続配管の位置は定まるため、据え付け工事時に第１の接続配管に直線状の第４の接続配管を接続する時間を短縮でき、使い勝手の良好な分岐管を得ることができる。
【手続補正１０】
【補正対象書類名】明細書
【補正対象項目名】００１７
【補正方法】変更
【補正の内容】
【００１７】
本発明の一実施例の分岐管及びマルチエアコン用分岐管を図面（図１及び図２）を参照して説明する。
図１は本発明の分岐管Ｓを示す概略的図で、分岐管Ｓは、流入部１０からの流体を第
１の流出部１と第２の流出部２に分岐する分岐管で、例えば、マルチエアコンの冷凍サイ
クルに組み込まれ、冷媒を分流する際に使用されるものである。
第１の流出部１の出口側の管１Ａの軸心Ｘが、流入部１０の管１０Ａの軸心Ｘと一致
するように、第１の流出部１の中途が曲がっている。図１に示す１Ｂは、湾曲部である。